(57)【特許請求の範囲】
【請求項１】
加入者局による捕そくのために通信システムを選択する方法、該方法は下記ステップを備える：
（ａ）第１の通信システムから、前記第１の通信システムの識別
を示す単一システム識別コードを受信する、
（ｂ）加入者局に事前に蓄積されたテーブルを参照して、前記単一システム識別コードに基づいて、前記受信されたシステム識別コードと異なるシステム識別コードを持ち、前記第１の通信システムと同一の地理上の地域で動作する少なくとも１つの他の通信システムを決定する、
（ｃ）前記少なくとも１つの他の通信システムから最も望ましい通信システムを選択する、
（ｄ）前記第１の通信システムが、第１の通信システムと前記少なくとも１つの他の通信システムの内の最も好ましいものであるときに、前記第１の通信システムを使用してサービスを提供する。
（ｅ）前記第１の通信システムが最も望ましいものでない場合に、前記選択された通信システム上で捕そくを試みる。
（ｆ）前記捕そくの試みが成功する場合に前記選択された通信システムを使用してサービスを提供する。
【請求項２】
さらに、下記ステップを具備する請求項１の方法：
（ａ）前記捕そくの試みが不成功の場合に、前記少なくとも１つの他の通信システムから最も望ましい通信システムを選択する；
（ｂ）前記選択された通信システムを捕そくすることを試みる。
【請求項３】
加入者局による捕そくのために通信システムを選択する方法、該方法は下記ステップを備える：
（ａ）第１の通信システムから、前記第１の通信システムの識別
を示す単一システム識別コードを受信する、
（ｂ）加入者局に事前に蓄積されたテーブルを参照して、前記単一システム識別コードに基づいて、前記受信されたシステム識別コードと異なるシステム識別コードを持ち、前記第１の通信システムと同一の地理上の地域で動作する少なくとも１つの他の通信システムを決定する、
（ｃ）前記第１の通信システムが、第１の通信システムと前記少なくとも１つの他の通信システムの内の最も好ましいものであるときに、前記第１の通信システムを使用してサービスを提供する。
前記第１の通信システムから前記システム識別コードを受信する前記ステップは、下記ステップを具備する、
（ｄ）捕そくするための最初のシステムを選択する；
（ｅ）前記最初のシステムを捕そくすることを試みる；
（ｆ）前記捕そくする試みが成功する場合に、前記第１の通信システムから前記システム識別コードを受信する。
（ｇ）前記捕そくの試みが不成功の場合に、捕そくを試みる次のシステムを選択する；
（ｈ）前記次のシステム上で捕そくを試みる。
【請求項４】
捕そくを試みる次のシステムを選択する前記ステップが、ホームシステムとして識別される通信システムに従って決定される、請求項３の方法。
【請求項５】
捕そくを試みる次のシステムを選択する前記ステップが、もっとも頻繁に使用される通信システムに従って決定される、請求項３の方法。
【請求項６】
捕そくを試みる次のシステムを選択する前記ステップが、もっとも最近に使用されたシステムの集合に従って決定される、請求項３の方法。
【請求項７】
捕そくを試みる次のシステムを選択する前記ステップが、システム識別コードの前記リスト中の他のものよりも補足をより早く期待されるシステムの集合に従って決定される、請求項３記載の方法。
【請求項８】
捕そくを試みる次のシステムを選択する前記ステップが、複数の他のシステムに共通の捕そくパラメータを持つシステムの集合に従って決定される、請求項３の方法。
【請求項９】
下記を具備する加入者局装置：
複数の通信システムのそれぞれに関するパラメータの所定の集合を有する汎用システムテーブル、該パラメータの所定の集合はシステム識別コードと地理上の地域とを備える；システム決定プロセッサー、該システム決定プロセッサーは下記を実行するように構成される：
第１の通信システムのシステム識別を示す第１の通信システムにより送信された単一のシステム識別コードを受信する；及び
第１の通信システムと同一の地理上の地域においてサービスを提供する最も望ましい通信システムを選択する、該選択は第１のシステム識別コードと前記汎用システムテーブルの内容とに基づく、
前記パラメータの所定の集合は、第１の通信システムに対応する捕そくパラメータをさらに備え、前記システム決定プロセッサは、前記汎用システムテーブルから第１の通信システムを選択し、前記受信機と前記第１の変調モジュールが第１の通信システムから受信した第１のシステム識別コードを受信して復号するよう構成する、
前記システム決定プロセッサは、加入者局装置が捕そくを容易にする信号を通信システムが送信するのに基づいて、第１の通信システムを選択するように構成される。
【請求項１０】
下記を具備する加入者局装置：
複数の通信システムのそれぞれに関する所定の集合のパラメータを有する汎用システムテーブル、該パラメータの所定の集合はシステム識別コードと地理上の地域とを備える；システム決定プロセッサー、該システム決定プロセッサーは下記を実行するように構成される：
第１の通信システムのシステム識別を示す第１の通信システムにより送信された単一のシステム識別コードを受信する；及び
第１の通信システムと同一の地理上の地域においてサービスを提供する最も望ましい通信システムを選択する、該選択は第１のシステム識別コードと前記汎用システムテーブルの内容とに基づく。
前記パラメータの所定の集合は、第１の通信システムに対応する捕そくパラメータをさらに備え、前記システム決定プロセッサは、前記汎用システムテーブルから第１の通信システムを選択し、前記受信機と前記第１の変調モジュールが第１の通信システムから受信した第１のシステム識別コードを受信して復号するよう構成する、
前記システム決定プロセッサは、第１の通信システムのパラメータと共通のパラメータを有する汎用システムテーブル内の他の通信システムの数に基づいて第１の通信システムを選択するよう構成される。
【請求項１１】
下記を具備する加入者局装置：
複数の通信システムのそれぞれに関するパラメータの所定の集合を有する汎用システムテーブル、該パラメータの所定の集合はシステム識別コードと地理上の地域とを備える；システム決定プロセッサー、該システム決定プロセッサーは下記を実行するように構成される：
第１の通信システムのシステム識別を示す第１の通信システムにより送信された単一のシステム識別コードを受信する；及び
第１の通信システムと同一の地理上の地域においてサービスを提供する最も望ましい通信システムを選択する、該選択は第１のシステム識別コードと前記汎用システムテーブルの内容とに基づく、
パラメータの所定の集合は関連する通信システムが否定的なシステムであるか否かをさらに備え、前記システム決定プロセッサは否定的なシステムでない最も望ましい通信システムを選択するよう構成される。
【請求項１２】
下記を具備する加入者局装置：
複数の通信システムのそれぞれに関する所定の集合のパラメータを有する汎用システムテーブル、該所定の集合のパラメータはシステム識別コードと地理上の地域とを備える；システム決定プロセッサー、該システム決定プロセッサーは下記を実行するように構成される：
第１の通信システムのシステム識別を示す第１の通信システムにより送信された単一のシステム識別コードを受信する；及び
第１の通信システムと同一の地理上の地域においてサービスを提供する最も望ましい通信システムを選択する、該選択は第１のシステム識別コードと前記汎用システムテーブルの内容とに基づく。
さらに、もっとも最近使用されたシステムのリストを含むもっとも最近に使用されたシステムテーブルを備え、前記システム決定プロセッサは前記もっとも最近使用されたシステムテーブルの内容に基づいて第１の通信システムを選択する、
前記もっとも最近使用されたシステムテーブルは不揮発性メモリを備える。
【発明の詳細な説明】
発明の背景
Ｉ．技術分野
本発明は通信システムに関する。さらに、本発明は、複数の地理上の地域での操作可能な加入者局（subscriber station）で好ましい通信システムを選択するための新規かつ改善された方法および機器に関する。
ＩＩ．関連技術の説明
社会において移動通信システムがさらに一般的になるに従って、より重要で、より精密なサービスに対する要望が高まってきた。移動通信システムの容量ニーズを満たすために、限られた通信資源（resource）に対する多重アクセスという技法が開発された。符号分割多重アクセス（ＣＤＭＡ）変調技法の使用は、多数のシステム・ユーザーが存在する通信を助長するためのいくつかの技法の内の１つである。時分割多重アクセス（ＴＤＭＡ）および周波数分割多重アクセス（ＦＤＭＡ）のような他の多重アクセス通信システム技法が、技術上周知である。しかし、ＣＤＭＡのスペクトラム拡散変調技法には、多重アクセス通信システム用のこれらの変調技法に優る重要な優位点がある。
多重アクセス通信システムでのＣＤＭＡ技法の使用は、「衛星または地上中継器を使用するスペクトラム拡散多重アクセス通信システム」と題する、１９９０年２月１３日に発行され、本発明の譲受け人に譲渡され、参照してここに組み込まれる、米国特許第４，９０１，３０７号に開示される。多重アクセス通信システムにおけるＣＤＭＡ技法の使用は、さらに、「ＣＤＭＡセルラー電話システムで信号波形を生成するためのシステムおよび方法」という題する、１９９２年４月７日に発行され、本発明の譲受け人に譲渡され、参照してここに組み込まれる、米国特許第５，１０３，４５９号に開示される。
加入者局のユーザーがある地理上のエリアから別のエリアに移動すると、加入者局は、サービスを実施するための通信システムを選択しなければならない。ユーザーが、異なる地理上の地域で加入者局を操作する２つの手段がある。第１の方法によって、ユーザーは、多様な地域の通信サービスに加入する。したがって、加入者局は、ユーザーが加入する通信システムを見つけ出せばよく、それらのサービス・プロバイダのどれかを使用してサービスを提供する可能性がある。
代わりに、ユーザーが、ローミング・サービスによって通信することもある。移動通信プロバイダは、プロバイダ間で契約を交渉し、その顧客には「ローミング」として知られるサービスを提供する。「ローマー（ｒｏａｍｅｒ）」とは、ユーザーが加入しているプロバイダ以外の移動通信サービス・プロバイダによって運用されるシステムでのサービスを必要とする加入者局のことである。現在では、加入者局がローミング中の場合、ローミング状態を示す信号がユーザーに与えられる。ローミングの決定は、加入された１つまたは複数のシステムのシステム識別（identification）（ＳＩＤ）を、そのシステムによって放送されるサービスを提供するシステムのＳＩＤと比較した結果なされる。これは、加入者局のユーザーに、提供されているサービスがローミング料金を蓄積していることを警告する。
加入者局は、通常、ユーザーの地理上の位置を知らないため、加入者局は、費用およびサービスの質という点でユーザーに最適のサービスを提供するシステムを（エリアの考えられる通信システムから）選択しなければならない。ユーザーが操作できることを希望する地域の数が増加するに従って、加入者局が捕そく（acquisition）を試みなければならないさまざまな通信システムの数も増加する。本発明は、ユーザーのニーズにもっとも適した通信システムを選択するための方法および機器を提供する。
本発明は、「マルチモード加入者局でのシステム決定のための方法および機器」と題する、本発明の譲受け人に譲渡され、参照してここに組み込まれる、同時係属中の米国特許出願番号第０８／５０９，７１９号に詳細に説明されるような、マルチモード加入者局で説明される。例示的な実施例は、ＣＤＭＡ信号を送受可能で、ＡＭＰＳおよびＮＡＭＰＳのようなアナログ信号を送受可能な加入者局という文脈で説明される。本発明は、ＴＤＭＡ、ＦＤＭＡおよびＧＳＭを含む任意のデジタル通信システムに等しく適用できる。さらに、本発明は、１つのモード（例えば、アナログまたはデジタル）だけでの運用が可能な加入者局にも等しく適用できる。
発明の要約
本発明では、加入者局は、その内のいくつかが「好ましい（preferred）」システム（加入者局が使用することを許されるシステム）であり、その内のいくつかが「否定的な」システム（加入者局が使用することを許されないシステム）である、システムのリストを保持する。リスト中の各システムに結び付くのは、対応する捕そくパラメータ（バンド、周波数、モードなど）だけではなく、システムＩＤ（ＳＩＤ）である。このリストが、本文中、汎用システム・テーブル（ｕｎｉｖｅｒｓａｌ  ｓｙｓｔｅｍ  ｔａｂｌｅ）と呼ばれる。
汎用システム・テーブルは、加入者局が、容易に、どちらのシステム（好まれているか、あるいは否定的）が共通の地理上の地域をカバーするのかを判断できるように保持される。共通の地理上の地域に対する参照は、共通無線有効範囲（coverage）のエリアを指す。さらに、１つの共通した地理上の地域をカバーするシステムには優先順位（preferences）が付けられる（つまり、もっとも望ましいからもっとも望ましくないまで等級が付けられる）。加入者局の仕事は、加入者局の現在の地理上のエリア内でもっとも望ましいシステムでのサービスの捕そくを試みることである。システムは、典型的に、限られた地理上の地域内だけでサービスを提供するので、加入者局の現在の地理上の地域の外にあるシステムでサービスを捕そくしようとしても無駄である。
問題は、加入者局が必ずしも、電源が投入されたときにそれがどこにいるのかを理解していないという点である。ローミングのため、それは、過去にいたところとはまったく異なる地域にいる可能性がある。したがって、もっとも望ましいシステムはおろか、システムをどのように捕そくするのかが明らかでない可能性がある。本発明の例示的な実施例では、加入者局は、もっとも最近使用された（ＭＲＵ）システムのリストを保持する。加入者局が、現在、それがそれほど以前のことではない過去にいたどこかにいる十分な見込みがあるため、第１手段として、これらのシステムの内の１つの捕そくを試みるのには大きな意味がある。
加入者局は、ＭＲＵシステムを捕そくできない場合、適切な捕そくパラメータを使用して、汎用システム・テーブル内で任意の好ましいシステムの捕そくを試みることができる。例示的な実施例では、加入者局は、最初に、捕そくが「もっとも容易な」システム（例えば、汎用システム・テーブルにはＡＭＰＳシステムがあると仮定して、ＡＭＰＳシステム）で捕そくを試みる。例示的な実施例で、加入者局がこれらのシステムの内の１つを捕そくできない場合、加入者局は、汎用システム・テーブル内の「もっとも代表的な」システムであるシステムの捕そくを試みる。言い換えると、汎用システム・テーブルは、おそらく、そのＳＩＤおよびその地理上の地域に関してだけ異なるが、同一の捕そくパラメータ（例えば、チャネル番号または周波数ブロック指名子）を持つ数多くのシステムを含んでいるだろう。
加入者局がいったんシステムを捕そくすると、加入者局は、オーバーヘッドメッセージから捕そくされたシステムのＳＩＤをとらえることができる。加入者局は受信されたＳＩＤを使用し、それが位置している地理上の地域を判断する。例示的な実施例では、加入者局は、捕そくされたシステムが好まれているか、否定的であるかに関係なく、汎用システム・テーブルからこの地理情報を捕そくすることができる。
ＳＩＤが、その地理上の地域内のもっとも好ましいシステムである汎用システム・テーブル中の好ましいシステムに属す場合、加入者局は、そのシステムを使用してサービスを提供する。捕そくされたシステムのＳＩＤが、その地理上のエリア内でもっとも望ましいシステムではない汎用システム・テーブル中のシステムに属す場合、加入者局は受信しＳＩＤを使用し、それが位置する地理上の地域を判断する。加入者局は、地域のもっとも望ましいからもっとも望ましくないまで、地理上の地域内のシステムで捕そくを連続して試みることによって、その地理上のエリア内でもっとも望ましいシステムの捕そくを試みる。
ＳＩＤが汎用システム・テーブルにないシステムに属す場合は、加入者局は他のシステムの捕そくを試みる。加入者局が好ましいシステムを捕そくできない場合は、加入者局はこのシステムに戻ることがある。
【図面の簡単な説明】
本発明の特徴、目的、および優位点は、類似した参照文字が全体を通して対応して識別する図面とともに解釈されるときに、以下に説明される詳細な説明からさらに明らかになるだろう。
図１は、本発明の例示的なマルチモード加入者局のブロック図である。
図２Ａ，Ｂ，Ｃは、本発明の例示的なシステム選択プロセスを図解するフロー図である。
発明の実施の形態
図１を参照すると、マルチモード加入者局（ＭＭＳＳ）１がシステム決定状態（substate）にあるとき、操作は、システム決定プロセッサ８によって実施される。システム決定状態では、システム決定プロセッサ８が、ＭＭＳＳ１が捕そくの実行を試み、捕そく回路に必要なパラメータを提供する通信システムを選択する。システム決定プロセッサ８は、図に関連して説明されるように、プログラム制御の元で機能するマイクロプロセッサとして実現されることがある。
例示的な実施例では、ＭＭＳＳ１は、アナログ変調復調処理回路（アナログ回路）４を使用するアナログ伝送と受信、およびデジタル変調復調処理回路（デジタル回路）６を使用するデジタル伝送と受信の両方が可能な二重モード加入者局である。例示的な実施例では、デジタル回路６は、符号分割多重アクセス（ＣＤＭＡ）送受回路である。ただし、ＴＤＭＡやＧＳＭのような他のタイプのデジタル通信モードが使用されることもある。本発明は、セルラー通信システム、個人通信システム（ＰＣＳ）および複数の地理上の地域で操作可能な加入者局にサービスを提供することがあるそれ以外の通信システムに適用することができる。
アナログ回路４の設計は技術で既知であり、Ｗｉｌｌｉａｍ  Ｃ．Ｙ．Ｌｅｅによる移動セルラー電気通信システムに詳細に説明される。デジタル回路６の例示的な実施例は、前記米国特許番号第４，９０１，３０７号および第５，１０３，４５９号に詳細に説明される。
もっとも最近使用された（ＭＲＵ）テーブル９は、ＭＭＳＳ１によってもっとも最近使用された通信システムのリストを含む。例示的な実施例では、ＭＲＵテーブル９は、ＭＭＳＳ１の電源が切られた後にも保持される不揮発性メモリ内で実現される。汎用システム・テーブル１１には、ＭＭＳＳ１が存在すると「知っている」すべての通信システムのシステム・パラメータが含まれる。例示的な実施例では、汎用システム・テーブル１１には好ましいシステムと否定的なシステムの両方に関する情報が含まれ、システムはその地理的な地域に従って蓄積される。例示的な実施例では、汎用システム・テーブル１１は、ＭＭＳＳ１の電源が切られた後も保持される不揮発性メモリ内で実現される。
例示的な実施例では、汎用システム・テーブル１１に蓄積されるシステムが地理上の地域に従って分類されてから、地理上のグループ内で一覧される各システムはもっとも望ましいからもっとも望ましくないまで連続して順序付けられる（ordered）。システムに等級を付けるための基準には、例えば、サービスの費用、サービスの品質、独特な機能のサポートなどが含まれることがある。システムごとに、汎用システム・テーブル１１が、バンド、周波数、モード、および捕そくを実行するために必要なそれ以外のあらゆるパラメータを含む必要な捕そくパラメータとともに、システム識別（ＳＩＤ）を含む。例示的な実施例では、一覧される各システムに、該システムが、加入者局が使用することを許されているシステム（好ましいシステム）であるのか、あるいは加入者局が使用することを許されないシステム（否定的なシステム）であるのかに関する表示というタグ（tag）が付けられる。
図２は、本発明の好ましいシステム選択の例示的な方法を図解するフローチャートである。電源投入時（ブロック２０）、ＭＭＳＳ１は、システム決定状態に入り、制御はシステム決定プロセッサ８に渡される。ブロック２２では、システム決定プロセッサ８が、例示的な実施例ではＭＲＵテーブル９に一覧されるシステムに従って選択される、捕そくを試みる最初の（initial）システムを選択する。例示的な実施例では、システム決定プロセッサは、最初の捕そく用のシステムとしてサービスを提供するために使用される最後のシステムを選択する。代替実施例では、システム決定プロセッサ８が、ＭＭＳＳ１によってもっとも頻繁に使用されるシステムを選択する。別の代替実施例では、システム決定プロセッサ８は、ＭＭＳＳ１のホーム・システムを選択する。
ブロック２２では、システム決定プロセッサ８が、汎用システム・テーブル１１から必要な捕そくパラメータを検索する。最初の捕そくに選択されたシステムがアナログ・システムである場合、システム決定プロセッサ８は、捕そくパラメータをアナログ回路４に提供し、必要な周波数情報をトランシーバ３に提供する。ブロック２４では、ＭＭＳＳ１は選択されたアナログ・システムの捕そくを試みる。トランシーバ３は、システム決定プロセッサ８によって提供される周波数情報に従って、アンテナ５を介して受信される（存在する場合には）信号を増幅し、ダウン・コンバートする。アナログ回路は、システム決定プロセッサ８によって提供される捕そくパラメータに従って信号を復調する。
ブロック２２では、選択されたシステムがデジタル・システムである場合、システム決定プロセッサ８は、必要な捕そくパラメータをデジタル回路６に提供し、必要な周波数情報をトランシーバ３に提供する。例示的な実施例では、過去に指摘されたように、本発明は、他のデジタル通信システムの捕そくにも等しく適用できるが、捕そくに選択されたデジタル・システムはＣＤＭＡシステムとして説明される。ブロック２４では、ＭＭＳＳ１は、選択されたＣＤＭＡシステムの捕そくを試みる。トランシーバ３は、システム決定プロセッサ８からの周波数情報に従って、アンテナ５を介して受信された（存在する場合は）信号をダウン・コンバートする。デジタル回路６は、システム決定プロセッサ８によって提供される捕そくパラメータに従って信号を復調する。ＣＤＭＡ信号の復調は、前記米国特許第５，１０３，４５９号に詳細に説明される。
ブロック２６では、捕そくの試みが不成功に終わると、制御はブロック２５でシステム決定プロセッサに戻される。ブロック２５では、システム決定プロセッサ８が、捕そくされる次のシステムを選択する。例示的な実施例では、ＭＭＳＳ１は、最初に、ＭＲＵテーブル９に蓄積されるすべてのシステムの捕そくを試みる。ＭＭＳＳ１がＭＲＵテーブル９に蓄積されるシステムの１つの捕そくに不成功に終わると、ＭＭＳＳ１は、捕そくが「容易」であると識別されるシステムの集合の捕そくを試みる。捕そくが容易なシステムは、たとえそれらが、それらのそれぞれの地理上の地域内でもっとも望ましいシステムではない可能性があっても、地理上の地域の高速かつ容易な識別を提供できるように選択される。代替実施例では、ＡＭＰＳシステムの可用性は容易に判断できるため、ＭＭＳＳ１は、ＭＲＵテーブル９のシステムの捕そくを試みる前に、最初にＡＭＰＳシステムの捕そくを試みるだろう。
ＭＭＳＳ１が捕そくが容易なシステムを捕そくできない場合、捕そくは「代表的な」システムで試みられる。代表的なシステムとは、複数の他のシステムに共通である捕そくパラメータを備えるシステムのことである。このようにして、代表的なシステムで捕そくを試みることによって、ＭＭＳＳ１は、実際には、地理上の地域の仮説の集合を同時に試しているのである。これらのシステムのどれも捕そくできない場合には、ＭＭＳＳ１は、汎用システム・テーブル１１内の残りのシステムで徹底的に捕そくを試みる。
システム決定プロセッサ８によって選択されるシステムの捕そくが不成功に終わる場合、運用はブロック２８に移動する。ブロック２８は、捕そくがＭＲＵテーブル９のすべてのシステムで試みられたかどうかを判断する。ＭＲＵテーブル９内に捕そくの試みがなされなかったシステムがある場合、システム決定プロセッサ８は、前述のように、ＭＲＵテーブル９からシステムを選択し、アナログ回路４、デジタル回路６、およびトランシーバ３に選択してシステム捕そくパラメータを提供する。それから、選択されたシステムに対する捕そくが、前述のように、ブロック２４で試される。
捕そくがＭＲＵテーブル９のすべてのシステムでなされる場合、ＭＭＳＳ１は、「高速捕そく」システムでの捕そくを試みる。ＡＭＰＳシステムは高速捕そくシステムの典型的な例である。ＡＭＰＳシステムが、ＣＤＭＡシステムがサービスの一様性という点で提供するサービスに劣るサービスを提供する場合、さらに短い時間期間内にＡＭＰＳシステムを捕そくすることが可能である。ブロック３４では、ＭＭＳＳ１がすべての高速捕そくシステムの捕そくを試みていない場合には、ブロック３６で、システム決定プロセッサ８が高速捕そくシステムを選択し、汎用システム・テーブル１１から捕そくパラメータを検索する。システム決定プロセッサ８は、前述のように、アナログ回路４、デジタル回路６、およびトランシーバ３に選択してシステム捕そくパラメータを提供する。それから、選択されたシステムでの捕そくが、前述のようにブロック２４で試される。
捕そくの試みがすべての「高速捕そく」システムでなされた場合、ＭＭＳＳ１は、代表的なシステムの捕そくを試みる。ブロック４２で、ＭＭＳＳ１がすべての代表的なシステムの捕そくを試みなかった場合、ブロック３８で、システム決定プロセッサ８は代表的なシステムを選択し、汎用システム・テーブル１１から捕そくパラメータを検索する。システム決定プロセッサ８は、前述のように、アナログ回路４、デジタル回路６、およびトランシーバ３にシステム捕そくパラメータを提供する。それから、選択されたシステムに対する捕そくが、前述のようにブロック２４で試される。
捕そくの試みがブロック４２ですべての「代表的な」システムになされた場合、ＭＭＳＳ１は、汎用システム・テーブル１１の残りのシステムで徹底的に捕そくを試みる。ブロック４４では、汎用システム・テーブル１１に捕そくの試みがなされなかった好ましいシステムがある場合には、フローはブロック４０に移動する。ブロック４０では、システム決定プロセッサ８が、前述のように、捕そくを試みる残りの好ましいシステムを選択し、汎用システム・テーブル１１から捕そくパラメータを検索し、アナログ回路４、デジタル回路６、およびトランシーバ３に選択してシステム捕そくパラメータを提供する。
それから、選択されたシステムでの捕そくが、前述のようにブロック２４で試される。すべての好ましいシステムを捕そくしようとする試みが失敗した場合、例示的な実施例では、ＭＭＳＳ１が、ブロック４６で一時的に電源を切り、バッテリ電力を節約してから、ブロック２０で、後の所定の時間に、再び、好ましいシステム選択のプロセスを開始する。考えられる複数の代替行動方針がある。考えられる１つの代替策とは、ＭＭＳＳ１が単に電源を切ることである。考えられる第２の代替策とは、ＭＭＳＳ１が、好ましいシステム選択のプロセスをただちにもう一度開始することである。考えられる第３の代替策とは、ＭＭＳＳ１が故障を示し、ユーザー介入を待機することである。
捕そく成功時に、ＭＭＳＳ１は、ブロック２７で捕そくされたシステムによって放送されるシステム識別（ＳＩＤ）を受け取る。信号は、アンテナ５を介して受信され、メッセージ信号がダウン・コンバートされ、増幅されるトランシーバ３に提供される。捕そくされたシステムがアナログである場合、メッセージは、アナログ復調フォーマットに従って信号を復調し、システム識別情報をシステム決定プロセッサ８に提供するアナログ回路４に提供される。捕そくされたシステムがＣＤＭＡである場合、メッセージは、ＣＤＭＡ復調フォーマットに従って信号を復調し、システム識別情報をシステム決定プロセッサ８に提供するデジタル回路６に提供される。
ブロック３５では、システム決定プロセッサ８が、受信されたＳＩＤが汎用システム・テーブル１１に蓄積されるシステムの内の１つであるかどうかを判断する。捕そくされたシステムがＭＭＳＳ１にとって未知である場合、フローはブロック２５に戻され、ＭＭＳＳ１は別のシステムの捕そくを試みる。例示的な実施例では、捕そくされたが、未知のシステムの捕そくパラメータはシステム決定プロセッサ８によって保持され、好ましいシステムが捕そくできない場合には、そのシステムが使用されることがある。
受信されたシステム識別（ＳＩＤ）が汎用システム・テーブル１１で「否定的な」システムとして一覧される場合には、システム識別プロセッサ８は制御をブロック２５に渡し、ＭＭＳＳ１は別のシステムの捕そくを試みる。好ましい実施例では、捕そくされたシステムの捕そくパラメータがシステム決定プロセッサ８によって保持され、緊急呼が発信されると、そのシステムが使用される。
受信されたシステム識別（ＳＩＤ）が汎用システム・テーブル１１に一覧される場合は、システム決定プロセッサ８は、これがブロック４８で地理上の地域にとってもっとも望ましいシステムであるかどうかを判断する。加入者局による使用に等しく望ましい複数のシステムがある可能性があると想像される。捕そくされたシステムが地理上の地域にとってもっとも望ましいシステムである場合には、サービスは、ブロック５０で捕そくされたシステムを使用して提供される。サービスの完了時、システム決定プロセッサ８は、ブロック５２で、ＭＲＵテーブル９を更新する。
受信されたシステム識別が地理上の地域にとってもっとも望ましいシステムではない場合、システム決定プロセッサは、ブロック５４で、該地域にもっとも望ましいシステムを選択し、前述のように、アナログ回路４、デジタル回路６、およびトランシーバ３に選択してシステム捕そくパラメータを提供する。ブロック５６では、ＭＭＳＳ１が地理上の地域でもっとも望ましいシステムの捕そくを試みる。捕そくが成功し、捕そくされたシステムが加入者局が捕そくを期待していたシステムである場合、ブロック５８で、ＭＭＳＳ１が、ブロック６０で捕そくされたシステムを使用してサービスを提供する。ブロック６２では、システム決定プロセッサ８が、サービス完了時にＭＲＵテーブル９を更新する。
捕そくが不成功に終わると、ブロック６４で、決定プロセッサ８が、地理上の地域で使用するために次にもっとも望ましいシステムを選択する。システム決定プロセッサ８は、前述のように、アナログ回路４、デジタル回路６、およびトランシーバに選択してシステム捕そくパラメータを提供する。このプロセスは、捕そくが成功し、ＭＭＳＳ１がブロック６０で捕そくされたシステムを使用してサービスを提供するまで繰り返す。例示的な実施例では、システムが捕そくできない場合、ブロック６６で、ＭＭＳＳ１が一時的に電源を切り、ブロック６８でバッテリ電力を節約してから、ブロック２０で後の所定の時間に再び好ましいシステム選択のプロセスを開始する。考えられる複数の代替行動方針がある。考えられる１つの代替策とは、ＭＭＳＳ１が単に電源を切ることである。考えられる第２の代替策は、ＭＭＳＳが、ただちに、好ましいシステム選択のプロセスを再度開始することである。考えられる第３の代替策とは、ＭＭＳＳ１が失敗を示し、ユーザー介入を待機することである。
代替実施例では、ブロック４８での捕そく成功時に、システム決定プロセッサ８が、システムが好ましいかどうかを判断する。それが好ましいシステムである場合には、ＭＭＳＳ１は捕そくされたシステムを使用してサービスを提供し、間欠的にシステム決定状態に再入し、エリア内のさらに望ましいシステムが捕そくできるかどうかを確かめる。
例示的な実施例では、汎用システム・テーブル１１に蓄積される情報が、結び付いたシステムが次に一覧されるシステム（ビット＝１）より望ましいか、あるいは同じ望ましさの度合い（ビット＝０）であるのかを示すビットを提供する。これは、同じ地理上の地域内の複数の好ましいシステムを見越す。テーブル１は、地理上の地域内のシステムの望ましさのレベルを示す例示的な方法を説明する。
0004278178.tif 000002
テーブル１では、存在する２つの異なった地理上の地域がある。１つの共通した地理上の地域のシステムが地理上の地域ビット（ジオ・ビット）によって示されていることに注意する。このようにして、第１の地理上の地域をカバーするシステムは、１１１１、２２２２、３３３３、４４４４、および５５５５であり、第２の地理上の地域をカバーするシステムは６６６６、７７７７、および８８８８である。これは、ジオ・ビットの極性のフリップによって示される。
地理上の地域内のシステムの望ましさは、より望ましいビットの極性によって示される。第１の地理上の地域内では、システム１１１１はシステム２２２２より望ましい。システム２２２２、３３３３、および４４４４は等しく望ましく、３つのすべてが５５５５より望ましい。第２の地理上の地域内では、システム６６６６、７７７７、および８８８８はすべて等しく望ましい。システムがサービスを提供する地理上の地域を示すこの方法、およびそのシステムを通じてサービスを捕そくすることの望ましさは例示的であり、この情報を蓄積する他の方法も考えられることに注意する必要がある。
前記テーブル１では、システム１１１１は、その地理上の地域のＳＩＤの第１の好ましい部分集合と呼ばれる場合がある。システム２２２２、３３３３、および４４４４は等しく望ましく、その地理上の地域のＳＩＤの第２の好ましい部分集合と呼ばれることがある。同様に、システム５５５５は、地理上の地域のＳＩＤの第３の好ましい部分集合と呼ばれることがある。前記に注記されるように、汎用システム・テーブル１１の例示的な実施例では、テーブルは、好ましいシステムと否定的なシステムの両方から成り立つ。したがって、例えば、そのシステム５５５５は否定的なシステムであり、第３の好ましい部分集合と呼ばれないが、むしろその地理上のエリアのシステムの否定的な集合の要素であるだろう。
好ましい実施例の前記説明は、任意の当業者が、本発明を作成または使用できるようにするために提供される。これらの実施例に対するさまざまな修正は、当業者容易に明らかとなり、本文中に定義される一般的な原則は、発明の設備を使用しなくても他の実施例に適用される可能性がある。したがって、本発明は、本文中に示された実施例に限られることが意図されるのではなく、本文中に開示された原則および新規機能と一致するもっとも広い適用範囲を与えられなければならない。
【図１】
0004278178.tif 000003
【図２Ａ】
0004278178.tif 000004
【図２Ｂ】
0004278178.tif 000005
【図２Ｃ】
0004278178.tif 000006